(57)【特許請求の範囲】
【請求項１】
根元（１１０）および亀頭（１２０）を備えるペニス（１００）に牽引を適用するための装置（１）に用いられる伸縮連結部材（３０）であって、
上記装置は、
ペニス（１００）の根元（１１０）の周りに配置されることに適合されたベース部材（１０）と、
ペニス（１００）の亀頭（１２０）の固定および支持のための保持部材（２０）と、
上記ベース部材（１０）と上記保持部材（２０）の間に配置されると共に、各々長手軸（Ａ）を有する少なくとも１つの伸縮連結部材（３０）と
を備え、
上記伸縮連結部材（３０）は、
第１のチューブ部（４０）が第２のチューブ部（５０）の中にスライド可能に配置されている第１のチューブ部（４０）および第２のチューブ部（５０）と、
上記第１のチューブ部（４０）に接続されると共に、上記伸縮連結部材（３０）の長手軸（Ａ）に直交する方向に圧縮可能な第１のバネ（６０）と、
上記第１のバネ（６０）に配置された少なくとも１つの第１の係合手段（６５，６５’）、および、第２のチューブ部（５０）内に配置された複数の第２の係合手段（５５，５５’）と
を備え、
上記各第１の係合手段（６５，６５’）は、上記第１のチューブ部（４０）を上記第２のチューブ部（５０）と相対的な長手方向の移動に対して解放可能に係止するために、上記第２の係合手段（５５，５５’）の何れかに係合するように適合されていることを特徴とする伸縮連結部材。
【請求項２】
請求項１に記載の伸縮連結部材において、
上記第１の係合手段（６５）の各々は、こぶを定義し、
上記第２の係合手段（５５）の各々は、上記第２のチューブ部（５０）の内部壁に形成された孔を定義することを特徴とする伸縮連結部材。
【請求項３】
請求項２に記載の伸縮連結部材において、
上記こぶ（６５）は、丸いおよび／または傾斜した面（６８）を有し、
この面（６８）は、上記第２のチューブ部（５０）に関して上記第１のチューブ部（４０）を移動するとき、上記バネ（６０）の圧縮に対抗して上記伸縮連結部材（３０）の長手軸（Ａ）に直交する方向への上記こぶ（６５）の移動を容易にすることを特徴とする伸縮連結部材。
【請求項４】
請求項３に記載の伸縮連結部材において、
上記第１のチューブ部（４０）は、上記第２のチューブ部（５０）に関して回転可能であり、
上記傾斜した面（６８）は、上記伸縮連結部材（３０）の長手軸（Ａ）と平行な方向に延在し、
それによって、上記第１と上記第２のチューブ部（４０，５０）の相対的な回転は、上記こぶ（６５）を上記伸縮連結部材（３０）の長手軸（Ａ）に直交する方向に動かすことを特徴とする伸縮連結部材。
【請求項５】
請求項１から４の何れか一つに記載の伸縮連結部材において、
上記バネ（６０）は、Ｕ字型であり、一組の弾性アーム（６３，６４）をこの各アーム（６３，６４）に配置された第１の係合手段（６５）と共に有し、
第１と第２の複数の第２の係合手段（５５，５５’）は、上記第２のチューブ部（５０）の中に対向して配置されていることを特徴とする伸縮連結部材。
【請求項６】
請求項１から５の何れか一つに記載の伸縮連結部材において、
上記保持部材（２０）は、第３の係合手段（２５）を備え、
この第３の係合手段（２５）は、上記第２のチューブ部（５０）に関して上記第１のチューブ部（４０）の回転を防ぐように、上記第２のチューブ部（５０）および／または上記第１のチューブ部（４０）の複数の第４の係合手段の何れかと協働することに適合されていることを特徴とする伸縮連結部材。
【請求項７】
請求項６に記載の伸縮連結部材において、
上記保持部材（２０）に連結可能な２つの伸縮連結部材（３０）を有し、
複数の第４の係合手段は、上記第２のチューブ部（５０）の各々に形成され、
上記保持部材（２０）の各々が、第３の係合手段（２５）を備え、
上記第３の係合手段（２５）は、それぞれ、上記第２のチューブ部（５０）の複数の第４の係合手段の何れかと協働することに適合されて、上記第２のチューブ部（５０）は、上記第１のチューブ部（４０）に関しての回転を妨げられることを特徴とする伸縮連結部材。
【請求項８】
請求項７に記載の伸縮連結部材において、
上記第３の係合手段（２５）は、こぶであり、
上記第４の係合手段は、上記第２のチューブ部（５０）の外側表面において形成された孔であることを特徴とする伸縮連結部材。
【請求項９】
請求項８に記載の伸縮連結部材において、
上記第４の係合手段は、上記第２のチューブ部（５０）を貫通して形成された孔であることを特徴とする伸縮連結部材。
【請求項１０】
請求項９に記載の伸縮連結部材において、
上記第４の係合手段は、また、上記第２の係合手段（５５）としての機能を果たすことを特徴とする伸縮連結部材。
【請求項１１】
請求項６から１０の何れか一つに記載の伸縮連結部材において、
上記保持部材（２０）は、少なくとも１つのスライスされたチューブ部（２１，２２）を備え、
このチューブ部（２１，２２）は、上記第２のチューブ部（５０）に関して上記第１のチューブ部（４０）の回転を防ぐために、伸縮連結部材（３０）の第２のチューブ部（５０）でカチッと押されることに適合されていることを特徴とする伸縮連結部材。
【請求項１２】
請求項１１に記載の伸縮連結部材において、
上記第３の係合手段（２５）は、上記スライスされたチューブ部（２１，２２）の内部に形成されたこぶであり、
このこぶは、上記第１のチューブ部（４０）に関しての上記第２のチューブ部（５０）の回転を防ぐために、上記第２のチューブ部（５５）において孔の形態をしている複数の第４の係合部材の少なくとも何れかを係合するために適合されており、
上記スライスされたチューブ部（２１，２２）は、第１および第２の端を有し、
上記第３の係合手段（２５）は、上記第１または上記第２の端の何れか一方の近傍に形成されていることを特徴とする伸縮連結部材。
【請求項１３】
請求項６に記載の伸縮連結部材において、
１つの伸縮連結部材（３０）を有し、この伸縮連結部材（３０）は、互いに回転自在に接続された第１と第２のチューブ（４０，５０）を備え、
上記第４の係合手段は、
上記第２のチューブ部を貫通して形成される複数の孔と、
上記第１のチューブ部（４０）の外側表面において形成された複数の孔あるいは細長い溝と
を備え、
上記第３の係合手段（２５）は、こぶであり、
このこぶは、上記第２のチューブ（５０）の孔の何れかを貫通して延在すると共に、上記第１のチューブ部（４０）の外側表面において形成された溝あるいは複数の孔の何れかに係合することを特徴とする伸縮連結部材。
【請求項１４】
根元（１１０）および亀頭（１２０）を備えるペニス（１００）に牽引を適用するための装置（１）であって、
上記装置は、
ペニス（１００）の根元（１１０）の周りに配置されることに適合されたベース部材（１０）と、
ペニス（１００）の亀頭（１２０）の固定および支持のための保持部材（２０）と、
上記ベース部材（１０）と上記保持部材（２０）の間に配置される請求項１から１３の何れか一つに記載の少なくとも１つの伸縮連結部材（３０）と
を備えることを特徴とする装置。
【発明の詳細な説明】
【技術分野】
【０００１】
この発明は、ペニスに牽引を適用するための装置に関し、この装置は、ベース部材、亀頭保持部材および伸縮連結部材を備え、さらに、本発明は、ペニスに牽引を適用するための装置用の伸縮連結部材に関し、さらに、本発明は、ペニスに牽引を適用するための装置用の保持部材に関する。
【背景技術】
【０００２】
ペニスの伸長のための装置の分野において、多くの装置が知られている。かかる装置の実施例は、米国４，４４９，５２１ Ａおよび米国７，２７６，０４０ Ｂ２に開示されている。これらの装置の共通の問題は、これらの装置は、ペニスに取り付けると共に、ペニスの根元に対して支持しているベース部分とペニス亀頭を固定するか支持する一部分との間の距離に関して調節することに対して、困難で、かつ／または、扱いにくいということである。
【０００３】
米国７，２７６，０４０ Ｂ２は、ペニスに牽引を適用するための装置を開示し、この装置は、多くの分離された部品を有し、これらの部品は、可変長さを有し、ベースと亀頭固定部分との間の距離を調節するように一緒にねじで留められている。これは扱いにくく、また、システムの微調整は困難である。多くの試み、様々な部品を用いることが、微調整を作るために行われるに違いない。調整があまり正確でないことは言うまでもなく、使用がユーザにとって非常に苦痛なものとなるか、あるいは、使用の効果はないだろう。正確で有用な調整を得るために、多くの部品が利用可能でなければならない。かかる伸長部品は、さらに容易に失われる可能性がある。
【０００４】
米国４，４４９，５２１は、(永久伸を与えるためでなく、性交の間ペニスを支持するための)ペニスに牽引を適用するための装置を開示し、この装置では、２つの伸縮のロッドあるいはチューブが、ベースと亀頭固定部分との間の距離を調節するために、用いられる。２つのロッド／チューブは、固定ねじによって、互いに所望の距離をもって固定される。この装置は、微調整を提供するかもしれない。しかしながら、ユーザが装置を調節する追加ツールを利用する必要があることは非常に不利である。さらに、ロッド／チューブから横向きに突出する位置決めねじが、ユーザに対して引っ掻くか、そうでなければユーザに対して不快感を与え、あるいは例えば衣類にくっつくという危険がある。米国４，４４９，５２１の装置は、体内組織への損害を防ぐために、柔軟な材料によってカバーされる。このように、位置決めねじは、柔軟な材料を通して、操作されなければならず、あるいは、その材料は、ズボンにはかれて端などに引っ掻きを与えるに違いないため、位置決めねじの操作は、妨害される。従って、ペニスに牽引を適用するための改善された装置は、有利となり、また、特に、より効率的なおよび／または信頼的な、ベースと固定手段との間の距離の調整は、有利となる。
【先行技術文献】
【特許文献】
【０００５】
【特許文献１】米国４，４４９，５２１ Ａ
【特許文献２】米国７，２７６，０４０ Ｂ２
【発明の概要】
【発明が解決しようとする課題】
【０００６】
そこで、この発明の課題は、先行技術装置の上述の欠点を克服することにある。
【０００７】
さらに、この発明の課題は、弛緩部分なしで容易に調節可能な、ペニスに牽引を適用するための装置用の、保持部材を提供することにある。
【０００８】
さらに、この発明の課題は、分離したツールを使用しないで調節可能な、ペニスに牽引を適用するための装置用の、保持部材を提供することにある。
【０００９】
さらに、この発明の課題は、先行技術に対する代替物を提供することにある。
【課題を解決するための手段】
【００１０】
本発明の第１の態様において、
根元および亀頭を備えるペニスに牽引を適用するための装置に用いられる伸縮連結部材であって、
上記装置は、
ペニスの根元の周りに配置されることに適合されたベース部材と、
ペニスの亀頭の固定および支持のための保持部材と、
上記ベース部材と上記保持部材の間に配置されると共に、各々長手軸を有する少なくとも１つの伸縮連結部材と
を備え、
上記伸縮連結部材は、
第１のチューブ部が第２のチューブ部の中にスライド可能に配置されている第１のチューブ部および第２のチューブ部と、
上記第１のチューブ部に接続されると共に、上記伸縮連結部材の長手軸に直交する方向に圧縮可能な第１のバネと、
上記第１のバネに配置された少なくとも１つの第１の係合手段、および、第２のチューブ部内に配置された複数の第２の係合手段と
を備え、
上記各第１の係合手段は、上記第１のチューブ部を上記第２のチューブ部と相対的な長手方向の移動に対して解放可能に係止するために、上記第２の係合手段の何れかに係合するように適合されている。
【００１１】
１つの実施形態において、上記第１の係合手段は、こぶを定義し、上記第２の係合手段は、上記第２のチューブ部の内部壁に形成された孔を定義する。
【００１２】
さらなる実施形態において、上記こぶは、丸いまたは傾斜した面を有し、この面は、上記第２のチューブ部に関して上記第１のチューブ部を移動するとき、上記バネの圧縮に対抗して上記伸縮連結部材の長手軸に直交する方向への上記こぶの移動を容易にする。
【００１３】
さらなる実施形態において、上記第１のチューブ部は、上記第２のチューブ部に関して回転可能であり、上記傾斜した面は、上記伸縮連結部材の長手軸と平行な方向に延在し、それによって、上記第１と上記第２のチューブ部の相対的な回転は、上記伸縮連結部材の長手軸に直交する方向に上記こぶの径方向の移動を、容易にする。
【００１４】
さらなる実施形態において、上記バネは、Ｕ字型であり、一組の弾性アームをこの各アームに配置された第１の係合手段と共に有し、第１と第２の複数の第２の係合手段は、上記第２のチューブ部の中に対向して配置されている。
【００１５】
さらなる実施形態において、上記保持部材は、第３の係合手段を備え、この第３の係合手段は、上記第２のチューブ部に関して上記第１のチューブ部の回転を防ぐように、上記第２のチューブ部および／または上記第１のチューブ部の複数の第４の係合手段の何れかと協働することに適合されている。
【００１６】
さらなる実施形態において、上記保持部材に連結可能な２つの伸縮連結部材を有し、複数の第４の係合手段は、上記第２のチューブ部の各々に形成され、上記保持部材の各々が、第３の係合手段を備え、上記第３の係合手段は、それぞれ、上記第２のチューブ部の複数の第４の係合手段の何れかと協働することに適合されて、上記第２のチューブ部は、上記第１のチューブ部に関しての回転を妨げられる。
【００１７】
さらなる実施形態において、上記第３の係合手段は、こぶであり、上記第４の係合手段は、上記第２のチューブ部の外側表面において形成された孔である。
【００１８】
さらなる実施形態において、上記第４の係合手段は、上記第２のチューブ部を貫通して形成された孔である。
【００１９】
さらなる実施形態において、上記第４の係合手段は、また、上記第２の係合手段としての機能を果たす。
【００２０】
さらなる実施形態において、上記保持部材は、少なくとも１つのスライスされたチューブ部を備え、このチューブ部は、上記第２のチューブ部に関して上記第１のチューブ部の回転を防ぐために、伸縮連結部材の第２のチューブ部でカチッと押されることに適合されている。
【００２１】
さらなる実施形態において、上記第３の係合手段は、上記スライスされたチューブ部の内部に形成されたこぶであり、このこぶは、上記第１のチューブ部に関しての上記第２のチューブ部の回転を防ぐために、上記第２のチューブ部において孔の形態をしている複数の第４の係合部材の少なくとも何れかを係合するために適合されており、上記スライスされたチューブ部は、第１および第２の端を有し、上記第３の係合手段は、上記第１または上記第２の端の何れか一方の近傍に形成されている。
【００２２】
さらなる実施形態において、１つの伸縮連結部材を有し、この伸縮連結部材は、互いに回転自在に接続された第１と第２のチューブを備え、
上記第４の係合手段は、
上記第２のチューブ部を貫通して形成される複数の孔と、
上記第１のチューブ部の外側表面において形成された複数の孔あるいは細長い溝と
を備え、
上記第３の係合手段は、こぶであり、このこぶは、上記第２のチューブの孔の何れかを貫通して延在すると共に、上記第１のチューブ部の外側表面において形成された溝あるいは複数の孔の何れかに係合する。
【００２３】
本発明の参考例において、
根元および亀頭を備えるペニスに牽引を適用するための装置に用いられる保持部材であって、
上記装置は、
ペニスの根元の周りに配置されることに適合されたベース部材と、
ペニスの亀頭の固定および支持のための保持部材と、
上記ベース部材と上記保持部材の間に配置されると共に、長手軸と上記ベース部材の近くの近位端と反対の遠位端とを有する少なくとも１つの伸縮連結部材と
を備え、
上記保持部材は、
第１の端およびこの第１の端に対向する第２の端と、
上記連結部材の上記遠位端に上記保持部材を解放可能に接続すると共に、上記保持部材の上記第１の端に配置され、少なくとも１つの方向において長手軸に沿った上記連結部材に相対的な移動に対して上記保持部材を係止するための係止手段を備える接続手段と、
上記保持部材の上記第２の端に配置される亀頭固定手段と
を備える。
【００２４】
１つの参考例において、上記係止手段は、こぶまたは孔を定義し、このこぶまたは孔は、上記連結部材に関して上記保持部材を係止するために、上記連結部材のそれぞれに対応する孔またはこぶと協働する。
【００２５】
他の参考例において、上記保持部材は、
上記第１の端が上記第２の端よりも上記ベース部材の近くに位置する第１の位置、または、
上記第２の端が上記第１の端よりも上記ベース部材の近くに位置する第２の位置のどちらかにおいて、
上記連結部材をユーザが固定することを可能にするのに適合されている。
【００２６】
上記参考例は、以下の実施形態を備えてもよい。
【００２７】
実施形態１では、
根元および亀頭を備えるペニスに牽引を適用するための装置に用いられる保持部材は、
ペニスの根元の周りに配置されることに適合されたベース部材と、
上記ベース部材と上記保持部材の間に配置されると共に、長手軸と上記ベース部材の近くの近位端と反対の遠位端とを有する少なくとも１つの伸縮連結部材と、
ペニスの亀頭の固定および支持のための保持部材と
を備え、
上記保持部材は、
第１の端およびこの第１の端に対向する第２の端と、
上記連結部材の上記遠位端に上記保持部材を解放可能に接続する手段と
を備え、
上記亀頭固定手段は、上記保持部材の上記第２の端に配置され、上記連結部材の上記遠位端に上記保持部材を解放可能に接続する手段は、上記保持部材の上記第１の端に配置されている。
【００２８】
実施形態２では、
実施形態１による保持部材において、上記連結部材の上記遠位端に上記保持部材を解放可能に接続する上記手段は、長手軸に沿った上記連結部材に相対的な移動に対して上記保持部材を係止するための手段を備える。
【００２９】
実施形態３では、
実施形態２による保持部材において、上記連結部材に相対的な移動に対して上記保持部材を係止するための手段は、上記連結部材の手段と協働する。
【００３０】
実施形態４では、
実施形態１から３の何れか一つの保持部材において、上記連結部材の上記遠位端に上記保持部材を解放可能に接続するための手段は、上記連結部材にパチンと音を立てるように適合されている。
【００３１】
実施形態５では、
実施形態１から４の何れか一つの保持部材において、上記連結部材の上記遠位端に上記保持部材を解放可能に接続するための手段は、スライスされたチューブ部である。
【００３２】
実施形態６では、
実施形態５の保持部材において、上記スライスされたチューブ部は、上記亀頭固定手段から突出する。
【００３３】
実施形態７では、
実施形態１から４の何れか一つの保持部材において、上記連結部材の上記遠位端に上記保持部材を解放可能に接続するための手段は、クリップである。
【００３４】
実施形態８では、
実施形態７の保持部材は、さらに、上記保持部材の上記第２の端に配置された第２のクリップを備える。
【００３５】
実施形態９では、
実施形態１から８の何れか一つの保持部材において、２つの連結部材と、上記連結部材の上記遠位端に上記保持部材を解放可能に接続するための２つの手段がある。
【００３６】
本発明の第２の態様において、
根元および亀頭を備えるペニスに牽引を適用するための装置であって、
上記装置は、
ペニスの根元の周りに配置されることに適合されたベース部材と、
ペニスの亀頭の固定および支持のための参考例の保持部材と、
上記ベース部材と上記保持部材の間に配置される本発明の第１の態様に記載の少なくとも１つの伸縮連結部材と
を備える。
【００３７】
本発明の第３の態様において、
キットは、
ペニスの根元の周りに配置されることに適合されたベース部材と、
ペニスの亀頭の固定および支持のための参考例の保持部材と、
上記ベース部材と上記保持部材の間に配置される本発明の第１の態様に記載の少なくとも１つの伸縮連結部材と
を備える。
【００３８】
この明細書において、「備えている（comprising）」または「備える（comprises）」の用語は、他の可能な要素や工程を排除しない。また、「１つの（a）」または「１つの（an）」などのような参照の言及は、複数を排除するものとして解釈されるべきでない。
【００３９】
この文章の文脈において、孔（aperture）の用語は、開口（opening）または穴部（hole）として理解され、形成される材料を貫通して延在しなくてもよい。このように、「孔（aperture）」は、窪み(つまり袋孔)、または、貫通した穴部をカバーしてもよい。この文章において、この用語が貫通した穴部をとして理解されるとき、これは明示される。
【図面の簡単な説明】
【００４０】
【図１】図１は、斜視図において、本発明の実施形態による保持部材と共に、ペニスに牽引を適用するための組み立てられた装置を示す。
【図２】図２は、側方から見た、図１の装置を示す。
【図３】図３は、側方から見た、取り付けられ使用中の図１，２の装置を示す。
【図４】図４は、側方正面から見た、取り付けられ使用中の図１，２の装置を示す。
【図５】図５は、取り付けられ最も伸長した状態での使用中の図１，２の装置を示す。
【図６】図６は、斜視図および部分断面図において、分解された亀頭保持部材、および、２つの異なる選択自由の方向で示される最も引っ込ませられた状態での結合アームと共に、図１，２で示される装置の細部を示す。
【図７】図７は、斜視図および部分断面図において、分解された亀頭保持部材、および、２つの異なる選択自由の方向で示される拡張した状態での結合アームと共に、図１，２で示される装置の細部を示す。
【図８】図８は、図１〜図７で示される装置をユーザに取り付ける工程を示す。
【図９】図９は、図８の装置の他の見方である。
【図１０】図１０は、図１〜図９で示される装置の伸縮連結部材の断面図であり、係合手段の細部を示す。
【図１１】図１１は、側方断面図において、ペニスに牽引を適用するための装置の付勢機構の細部を示す。
【図１２】図１２は、図１１で示される装置の付勢機構の詳細な拡大図を示す。
【図１３】図１３は、斜視図において、図１１，１２の装置を示し、この装置では、第１と第２のチューブ部は、２つの連結部材のうちの１つの内部部品を観察するために除去され、さらに、この図は、取り外された状態での同一部品を示す。
【図１４】図１４は、斜視図において、図１３の装置を異なった角度から示し、また、１つの連結アームに取り付けられた保持部材、部分的に取り外された状態で示されるもう一つの連結部材、および、装置にとって新しく示される取り外された部品を示す。
【図１５】図１５は、図１１〜図１４の装置および付勢機構を、異なった断面部分と共に異なった角度から見て示す。
【図１６】図１６は、図１１〜図１４の装置および付勢機構を、異なった断面部分と共に異なった角度から見て示す。
【図１７】図１７は、図１１〜図１４の装置および付勢機構を、異なった断面部分と共に異なった角度から見て示す。
【図１８】図１８は、図１１〜図１４の装置および付勢機構を、異なった断面部分と共に異なった角度から見て示す。
【図１９】図１９は、図１１〜図１４の装置および付勢機構を、異なった断面部分と共に異なった角度から見て示す。
【図２０】図２０は、斜視図において、下からの亀頭保持部材を示す。
【図２１】図２１は、本発明のもう一つの実施形態によるペニスに牽引を適用するための装置の保持部材および他の部品を示す。
【発明を実施するための形態】
【００４１】
以下、この発明を図示の実施の形態により詳細に説明する。なお、図面は、本発明を実行する一つの方法を示し、添付の特許請求の範囲に含まれる他の可能な実施形態を制限していることとして解釈されることではない。
【００４２】
図１において、本発明の実施形態によれば、ペニスのような細長い本体部材に牽引を適用するための装置１が示される。装置１は、ペニス１００の根元１１０の周りに配置されるのに適したベース部材１０を備える。ベース部材１０は、好ましくは、図示するような実質的にリング形状の部材であるが、例えば開放環構造または分離したパッドなどの他の適当な形状を用いて形成されてもよい。主な問題は、ベース部材が、装置１のユーザに対して不快感を回避するために、ペニスの根元に対して快適なベースを形成するべきということである。
【００４３】
装置１は、さらに、ペニス１００の亀頭１２０の固定および支持に適した保持部材２０を備える。保持部材２０は、亀頭１２０の直ぐ後ろまたは隣接した位置でペニスの軸体の周りに固定することによってペニス１００の亀頭を固定しまたは保持するための手段２９を備え、また、保持部材２０は、下記に述べられるように、連結部材３０を介してベース部材への接続のための手段を備える。亀頭固定手段２９は、添付の図面に示されるように、弾力のあるバンドであり、保持部材２０のボデー部２３内の開口２６およびこの開口２６と協働する突部２７を介して、保持部材２０のボデー部２３に解放可能に固定され、この突部２７は、好ましくは、亀頭固定手段２９を構成する弾力のあるバンド上で横方向に指向された突部２７の形をしている。亀頭固定手段は、ユーザのペニスの亀頭１２０の直ぐ後ろで亀頭固定手段２９の調整を緩和するためのハンドル２８を、さらに備えてもよい。
【００４４】
装置１は、さらに、少なくとも１つの、図１〜図１０に示される実施形態では２つの伸縮連結部材３０を備え、この２つの伸縮連結部材３０は、ベース部材１０と保持部材２０との間に配列され、使用の間にベース部材１０と保持部材２０とを離隔しペニス１００に牽引を与える。伸縮連結部材３０は、第１の近位の端３１および第２の遠位の端３２と、ユーザの拡張したペニス１００の細長い軸線と使用の間に実質的に平行になるように意図される長手軸Ａとを有する。連結部材３０は、ベース部材１０に形成された関節継ぎ手１１，１２と、連結部材３０の近位端３１のアーム３５とを介して、ベース部材１０に接続される。
【００４５】
連結部材３０は、第１のチューブ部４０および第２のチューブ部５０を含む。第１のチューブ部４０は、近位端４１および遠位端４２を有する。同様に、第２のチューブ部５０は、近位端５１および遠位端５２を有する。第２のチューブ部は、中空であり、内部の側壁５４および外部の側壁５６を有する。
【００４６】
図１〜図１０で示される実施形態において、第１のチューブ部４０の近位端は、関節継ぎ手１１，１２を介して、ベース部材１０にアーム３５によって接続される。第１のチューブ部の遠位端４１は、第２のチューブ部５０の近位端５１に接続され、第１のチューブ部４０と第２のチューブ部５０とは、伸縮する方法で、スライド可能に互いに係合している。図示された実施形態において、第１のチューブ部４０は、第２のチューブ部５０にスライド可能に配置される。さらに、図示された実施形態において、第１のチューブ部４０および第２のチューブ部５０は、互いに回転自在に係合している。このように、連結部材の長さの調整は、可能にされる。第１のチューブ部４０および第２のチューブ部５０が所望の位置に固定される方法を、以下に述べる。
【００４７】
第２のチューブ部５０の遠位端５２は、保持部材２０に連結可能である。図示された実施形態において、第２のチューブ部５０の遠位端５２は、プラグ５３で閉じられている。しかしながら、これは選択自由である。他の実施形態において、遠位端は、開いていてもよく、または、閉じられた端部（図示しない）として形成されていてもよい。
【００４８】
第１のバネ６０は、第１のチューブ部４０の遠位端４２に接続され、この遠位端４２から延在している。第１のバネ６０は、径方向に圧縮可能であり、つまり、伸縮連結部材３０の長手軸Ａに直交する方向に圧縮可能である。第１のバネ６０は、第１のチューブ部４０から遠位の方にかつ第２のチューブ部５０の中へ延在し、以下に詳述する方法で第２のチューブ部の中にスライド可能で回転可能に配置されるように適合される。第１のバネ６０は、第１のチューブ部４０に関して回転に対抗して固定される。一方、第１のバネ４０は、第２のバネ７０を介して第１のチューブ部４０にスライド可能に接続されて、好ましくは長手軸Ａに沿った遠位方向に付勢を与える。これは、図１〜図１０に示される実施形態におけるケースである一方、他の実施形態において選択自由の特徴であってもよい。
【００４９】
図示された実施形態において、第１のバネ６０は、ボデー部６１とＵ字型の一部分とを有し、この部分は、１組の弾性アーム６３，６４を有する。ボデー部は、第１のチューブ部４０への接続を形成する。１組の第１の係合手段６５，６５’は、好ましくはこぶまたは突部の形をして、アーム６３、６４の端に形成されており、連結アーム３０の長手方向Ａに直交する方向に延在する。孔の形をしている第１の複数の第２の係合手段５５は、第２のチューブ部５０の内部の側壁５４の一方側にライン状に形成され、その孔は、こぶと協働するのに適しており、アーム６３上で第１の係合手段６５を形成している。第２の複数の孔５５’は、第１の複数の孔５５から（反対側に）径方向に横切って、第２のチューブ部５０の内部の側壁５４の他方側にライン状に形成され、その孔は、こぶと協働するのに適しており、アーム６４上で第１の係合手段６５’を形成している。
【００５０】
図示された実施形態において、第２の係合手段５５，５５’は、各第２のチューブ部材５０上で対向して形成された７組の孔である。他の実施形態において、第２のチューブ部５０の長さおよび調整の所望の精度に依存する孔が、多かれ少なかれあってもよい。また、装置は、異なった長さの第２のチューブ５０の異なったセットを含むようにしてもよい。
【００５１】
第１のバネ６０のＵ字型の部分は、弾性アーム６３、６４の付勢を、その結果として、長手軸Ａに直交する方向において第２のチューブ５０の内部の側壁５４を向いている第１の係合手段６５，６５’のセットと、第２のチューブ部５０の内部の側壁５４において形成された第２の係合手段５５，５５’のセットとに与える。
【００５２】
第２の係合手段５５，５５’を形成する孔は、好ましい実施形態において、図１〜図１０に示されるように、第２のチューブ５０の内部の側壁５４から外部の側壁５６まで貫通した孔として形成されている。他の実施形態（図示せず）において、それらの孔は、第２のチューブ部５０の内部の側壁５４に窪みとして形成されてもよい。他の実施形態（図示せず）において、第２の係合手段５５，５５’は、第２のチューブ部５０の内部の側壁５４上に形成されたこぶあるいは突部として形成されてもよく、その場合には、第１の係合手段６５，６５’は、第１のバネ６０の上の孔として形成されてもよい。
【００５３】
このように、連結部材３０の長さは、第２のチューブ部５０に関して第１のチューブ部４０を滑らせることにより調節される。第１のバネ６０（つまり、アーム６３，６４）の弾性は、第１の係合手段６５，６５’を第２の係合手段５５，５５’のセットに係合するように強制し、第１と第２の係合手段６５，６５’，５５，５５’は、第１のチューブ部４０および第２のチューブ部５０を互いに滑ることに対して解放可能に係止するように、整列される。この係止関係は、第１のバネ６０のアーム６３，６４の弾性およびこぶと孔の間の摩擦によって与えられる力を超える十分な力でもって、第２のチューブ部５０に関して第１の部分４０を引き、押し、あるいは、ねじる（回転する）ことによって、解放される。
【００５４】
第２の係合手段５５，５５’が貫通された孔である実施形態において、係止関係は、さらに、例えば第２の係合手段５５，５５’を形成する穴部／孔を通って延在する先のとがった道具を用いることによって、孔と係合しているこぶを押すことによって解放されるようにしてもよい。
【００５５】
好ましい実施形態において、図１０に示されるように、第１の係合手段６５，６５’を形成するこぶは、こぶの最も外側の先端で、曲面または傾斜面６８に形成されている。その結果として、第２のチューブ部５０に関して第１のチューブ部４０を移動させるとき、こぶ（第１の係合手段６５）の移動は、バネ６０の圧縮に対抗して、連結部材３０の長手軸Ａに直交する方向、つまり内側方向に、容易になる。
【００５６】
別の実施形態（図示せず）において、こぶは、第１のバネ６の孔との協力のために、第２のチューブ部５０の内部５４に配置され、これらのこぶは、傾斜面を与えられ、および／または、その孔は、曲面または傾斜面を与えられる。
【００５７】
他の実施形態において、傾斜面６８は、連結部材３０の長手軸Ａに平行に延在し、その結果、第１と第２チューブ部４０，５０の互いの回転は、こぶ６５の径方向の移動、つまり、連結部材３０の長手軸Ａに直交する方向で内側方向の移動を容易にする。その結果として、連結部材３０の長さの調整は、図６，７で矢印Ｂ，Ｃによって示されるように、与えられる。図６では、第１と第２チューブ部４０，５０は、第２のチューブ部５０が第１のチューブ部４０をカバーする位置にあり、その結果、連結部材３０は、最も短い形態である。第１の係合部材６５，６５’を形成するこぶは、第２の係合手段５５，５５’を形成する最も遠位の孔に係合しており、それによって、第１と第２のチューブ部は、互いのスライドに対して、解放可能に係止される。矢印Ｂによって示されるように第１のチューブ部材４０に関して第２のチューブ部材５０を回転することによって、第１のバネ６０のこぶは、第２のチューブ部５０の孔との係合から取り出される。これは、こぶの軸線Ａと平行な傾斜面によって、容易になる。その結果として、矢印Ｃに示されるように、連結部材３０の長さを調節するために、第１と第２のチューブ部４０，５０は、互いに軸線Ａに沿って、スライドされる。図７では、第２のチューブ部５０は、図６に示される配置に関して、第１のチューブ部４０に相対的にスライドされている。図７では、バネ６０のこぶは、第２のチューブ部５０の近位端５１から見て、孔５５，５５’の第２のセットに係合する。その結果として、連結部材３０は、長さで拡張された。
【００５８】
保持部材２０は、連結部材３０の第２のチューブ部５０への接続のための手段を備え、この手段は、好ましくは、図１〜図９に示されるように、第２のチューブ部５０でカチッと押されること（クリック・オン）に適した、スライスされたチューブ部２１，２２の形をしている。このように、連結部材３０が、ベース部材１０と保持部材２０の間の長さまたは距離を調節されたとき、その結果として、ペニス１００の根元１１０と亀頭の間の距離が、一定に保たれて、少なくとも長い時間にわたってペニスの伸びを提供するために緊張下に置かれる。スライスされたチューブ２１，２２のクリック・オン機能によって、連結部材３０への保持部材２０の非常に容易な取り付けが、得られる。連結部材３０および保持部材２０を接続するための連繋手段の他の形態は、例えばチューブによって提供されてもよく、このチューブは、袋孔を備え、別の実施形態（図示せず）において第２のチューブ部５０の遠位端をスライドされる。
【００５９】
実施形態において、第３の係合手段２５は、連結部材３０に保持手段２０を接続する接続手段上の保持手段２０上に形成され、第３の係合手段２５は、第２のチューブ部５０の外面５６の複数の第４の係合手段の何れかと協働するのに適合される。その結果として、第１のチューブ部４０は、第２のチューブ部５０に関して回転を妨げられて、その後、第２の係合手段５５，５５’からの第１の係合手段６５，６５’の離脱を防いで、その結果として、第１のチューブ部４０が第２のチューブ部に相対的にスライド可能となることを防ぐ。このように、第３の係合手段２５を第４の係合手段を係合させて、保持手段２０が、連結部材３０に取り付けられたとき、連結部材３０の長さは、ロックされる。
【００６０】
第３の係合手段２５は、好ましくは、保持部材２０を連結部材３０に接続する接続手段において内方に延在しているこぶであり、第４の係合手段は、好ましくは、第２のチューブの外面５６にライン状に形成された孔で、この孔は、第３の係合手段を形成するこぶとの協力のために適合されている。
【００６１】
別の実施形態（図示せず）において、第３の係合手段２５は、保持部材２０を連結部材３０に接続する接続手段の内面に形成される孔であってもよく、この孔は、第２のチューブ部材５０の外面においてライン状に形成されるこぶまたは突部との協力のために適合されている。
【００６２】
好ましくは、図１〜図１０に示されるように、第４の係合手段は、外部の側壁５６から内部の側壁５４まで第２のチューブ部５０を貫通して形成される孔である。その結果として、第４の係合手段は、また、第２の係合手段５５としての機能を果たす。
【００６３】
第３の係合手段２５は、好ましくは、保持部材２０のスライスされたチューブ部２１，２２の内面に形成される。有利な実施形態において、図２０に示されたように、第３の係合手段２５は、スライスされたチューブ部２１，２２の内面に形成されたこぶまたは突部である。図示されるように、好ましくは、４つの第３の係合手段２５の突部が存在し、この突部は、第２のチューブ部５０における第２／第４の係合手段５５に対応する。保持部材２０は、好ましくはさらに、下記に述べられるようにある調整手順のために、保持部材２０を遠位あるいは近位の方向に引きおよび／または押すことを容易にするために、ハンドル２４を備える。
【００６４】
保持部材２０のスライスされたチューブ部２１，２２は、各々、第１と第２の端を有する。好ましくは、第３の係合手段２５は、第１または第２の端の何れか一方の近傍に形成されている。その結果として、保持部材を１８０°回すことによって、異なった配置が得られ、この配置では、装置１は、保持部材２０のベースと固定手段２９の間の、異なった長さあるいは距離を有する。これは、図１〜図４と図５とを比較することによって示され、図１〜図４では、保持部材が、１つの配置を得るために、連結部材３０に取り付けられており、図５では、保持部材が、図１〜図４における配置に関して１８０°回され、それによって、保持部材２０上の亀頭固定手段２９とベース部材１０との間の最大の距離を得る。これは、また、図６と図７によって示され、この図では、保持部材の２つの異なった方向が示される。その結果として、装置の調整の全面的な柔軟性は、相当に改善された。
【００６５】
図１〜図１０で示される本実施形態による装置１の取り付けは、特に図８を参照して説明される。第１段階で、連結部材３０を備えたベース１０は、ペニス１００の根元１１０の周りに固定される。それから、根元１１０からペニスの亀頭１２０の近位側１２１までのペニス１００の長さは、ユーザによって評価され、連結部材３０の長さは、それに応じて調整され、上述したように、図８の矢印Ｂによって示されるように第２のチューブ５０を回すことにより、第２のチューブ部５０に関して第１のチューブ部４０の係止位置を解除し、それから、矢印Ｃによって示されるように、第２のチューブ部５０を、第１のチューブ部４０に関しての所望の前後位置に、スライドする。その後、保持部材の固定手段２９は、亀頭１２０の直ぐ後ろにペニス１００の周りに取り付けられ、保持部材は、連結部材３０に固定されまたは取り付けられ、それによって、第２のチューブ部５０に関しての第１のチューブ部４０の前後位置は、第３の係合手段２０と第４の（第２の）係合手段の間の係合により係止される。上述したように、長さの更なる調整は、保持部材２０の方向の選択によって与えられる。もし、装置１の調整が正確でない場合、適切な調整は、保持部材２０を取り除いて上述した工程を繰り返すことにより、容易に与えられる。この調整と再調整は、本発明による有利な配置によって、ユーザ自身によって、補助やツールの使用なしで、容易に与えられる。さらに、調整と再調整は、緩い伸長部なしで、容易に得られる。
【００６６】
他の実施形態（図示せず）において、第３の係合手段２５は、例えば、保持部材２０のこぶまたは突部の形態であり、第２のチューブ部５０に関して第１のチューブ部４０の回転を防ぐように、第１のチューブ部４０および第２のチューブ部５０の両方の係合手段と協働してもよい。もし、例えば、スライスされたチューブにおいてこぶの長さが、（リテーナ２０に関しての第２のチューブ部５０の縦方向の回転を防ぐために）第２のチューブ５０の一連の穴部のうちの１つに貫通して延在するのに適し、および、（第１のチューブ部の回転を防ぐために）内部の第１のチューブ部４０の（軸線Ａに平行な）細長いスリットや溝または孔のセットの中に延在するのに適している場合、第１と第２のチューブ部の互いに相対的な解放可能な固定は、単一の連結部材３０だけを有する装置において得られる。しかしながら、この原理は、２つ以上の連結部材３０にも適用されてもよい。
【００６７】
図１１〜図１９に関して、ペニス１に牽引を適用するための装置１に用いられる有利な付勢機構は、次に記載されている。
【００６８】
付勢機構は、第２のバネ７０、好ましくはコイルばねを備え、この第２のバネ７０は、近位端７１および遠位端を有し、第２のバネ７０は、第１のチューブ部４０と第２のチューブ部５０の間に配置され、近位の方向に連結部材３０の付勢を与え、つまり、ベース部１０から遠くに保持部材２０の付勢を与える。
【００６９】
第２のバネ７０は、第１のバネ６０から近位へ延在するロッド６９を囲んで、第１のチューブ部４０の内部に位置する。第２のバネの遠位端７２は、好ましくは第１のバネ６０のボデー部６７の近位へ面する表面６６に係合する。好ましくは、主体部６７、弾性アーム６３、６４、第１の係合手段６５およびロッド６９は、１つの部品、例えばプラスチック材料にて、形成される。
【００７０】
第２のバネ７０の近位端７１は、第１のチューブ部４０の内部表面の絞り４３に係合する。絞り４３は、第１のチューブ部の内部表面の環状の突部であってもよく、あるいは、第１のチューブ部４０の内部表面のまわりの１から６個の分離した突部やこぶのセットを備えてもよい。
【００７１】
第１のバネ６０は、上述したように、（第１の係合手段６５を介して）第２のチューブ部５０に対しスライドすることに関して係止されるので、付勢は、第１のチューブ部４０と第２のチューブ部５０の間に与えられる。
【００７２】
ロッド６９の近位端６１は、第１の指標部品９０に係止するように、スナップ係止接続に適合されてもよい。第１の指標部品９０は、ベース部材１０へのロッド６９の近位の伸長を構成し、近位端９１および遠位端９２を有する。指標部品の遠位端９２は、例えば、図１２と図１４に示されるようなこぶによって、ロッド６９の近位端６１のスナップ係止接続に係合するように適合されている。他の実施形態において、第１の指標部品９０の遠位端とロッド６９の近位端６１の間の接続を係止する分裂およびこぶは、反対の部分にあってもよい。他に、係止機構は、さらに利用されてもよい。
【００７３】
指標タップ９５は、さらに、指標部品９０に設けられてもよい。
【００７４】
第１の指標部品９０は、ロッド６９に係止され、その結果として第２のチューブ部５０に係止されるので、第１の指標部品９０は、第１のチューブ部４０に関して第２のチューブ部５０と共にスライド可能となり、さらに下記に説明されるように、第２のバネ７０によって与えられる負荷や付勢の情報をユーザに提供する機能を果たす。
【００７５】
第１のチューブ部４０は、好ましくは、アーム３５および第２の指標部品８０を介して、ベース部１０に好ましくは接続される。第２の指標部品は、アーム３５に接続された近位端８１と、第１のチューブ部４０に連結可能な遠位端８２とを有する。第２の指標部品８０は、好ましくは、弾性を有するＵ字型のバネを介して、第１のチューブ部４０に接続され、このバネは、こぶ８６を有し、このこぶ８６は、Ｕ字型のバネを形成する１組のバネ・アームの各々の最も遠位端に形成されている。Ｕ字型のバネは、連結部材３０の軸線Ａに直交する方向の外側方向に、こぶの付勢を与える。Ｕ字型のバネの弾性アームのこぶ８６は、第１のチューブ部４０において形成される孔８７と協働するように、適合されている。
【００７６】
第２の指標部品８０は、第１のチューブ部にこのように取り付けられたとき、第１のチューブ部の近位の伸長を形成し、またアーム３５への接続とベース部材１０への接続とを与える。
【００７７】
第２の指標部品８０は、中空で、第１の指標部品９０を全体的あるいは部分的にスライド可能に収容するのに適合されている。
【００７８】
第２の指標部品８０は、透明性材料、例えば高分子材料において形成され、その結果、第１の指標部品９０の少なくとも部分、例えば指標タップ９５あるいは少なくとも近位端９１は、第２の指標部分の表面８３を透過して可視的となる。第２の指標部分の表面８３は、１つ以上の指標、例えば、図１１〜図１９に示されるように線条または環状突部または窪み８４の形態に、形成されてもよい。代わりにあるいは追加して、スリット８８が、連結部材の長手軸Ａと平行な方向に、第２の指標部分８０を貫通して形成されてもよい。スリット８８は、第１の指標部品９０の指標タップ９５と協働するように適合されてもよい。他の実施形態（図示せず）において、スリット８８は、透明カバーを設けられ、その結果、第１の指標部品９０の少なくとも部分、例えば指標タップ９５あるいはその部品９０の少なくとも近位端９１は、透明カバーを透過して可視的となる。
【００７９】
実施形態（図示せず）において、第１の指標部品９０は、上述されたスナップ係止機構を介して接続されるよりもむしろ、ロッド６９と一体的に形成されてもよい。
【００８０】
上述の調整設備と結合する上述の付勢機構は、ユーザがペニス１００における牽引を０から３ｋｇまで調節することを可能にする。
【００８１】
本発明は、明示された実施形態に関して記述されたが、それは表示された実施例に多少なりとも制限されることとして解釈されるべきでない。本発明の範囲は、添付された特許請求の範囲によって設定される。
【００８２】
図示された要素に関しての請求項における引用符号の使用も、本発明の範囲を制限するものとして解釈されない。さらに、異なった請求項で述べられた個別の特徴は、有利に組み合わせ可能であり、また、異なった請求項におけるこれらの特徴の言及は、特徴の組み合わせが可能でなく有利ではないことを、除外しない。
【符号の説明】
【００８３】
Ａ  連結部材の長手軸
１  ペニスに牽引を適用するための装置
１０  ベース部材
１１  継ぎ手
１２  継ぎ手
２０  （亀頭）保持部材
２１  スライスされたチューブ部
２２  スライスされたチューブ部
２３  保持部材のボデー部
２５  第３の係合手段
２６  ボデー部の開口
２７  亀頭固定手段２９の突部
２８  亀頭固定手段２９のハンドル
２９  亀頭固定手段
３０  （伸縮）連結部材
３１  連結部材の近位（第１）端
３２  連結部材の遠位（２位）端
３５  アーム
４０  第１のチューブ部
４１  第１のチューブ部の近位端
４２  第１のチューブ部の遠位端
４３  絞り
５０  第２のチューブ部
５１  第２のチューブ部の近位端
５２  第２のチューブ部の遠位端
５３  プラグ
５４  第２のチューブ部の内部壁
５５  第２の係合手段（第１の複数）
５５’  第２の係合手段（第２の複数）
５６  第２のチューブ部の外部壁
６０  第１のバネ・アセンブリ
６１  近位端
６３  （第１のバネの）弾性アーム
６４  （第１のバネの）弾性アーム
６５  第１の係合手段
６６  近位に面する表面
６７  ボデー部
６８  （こぶの）曲面または傾斜面
６９  ロッド
７０  第２のバネ
７１  バネの近位端
７２  バネの遠位端
８０  第２の指標部品
８１  指標部品の近位端
８２  指標部品の遠位端
８３  指標部品の表面
８４  印／指標マーク
８５  弾性アーム
８６  弾性アームのこぶ
８７  第１のチューブ部４０の孔
８８  スリット
９０  第１の指標部品
９１  指標部品の近位端
９２  指標部品の遠位端
９５  指標タップ
１００  ペニス
１１０  ペニスの根元
１２０  亀頭
【図１】
0005395170.tif 000002
【図２】
0005395170.tif 000003
【図３】
0005395170.tif 000004
【図４】
0005395170.tif 000005
【図５】
0005395170.tif 000006
【図６】
0005395170.tif 000007
【図７】
0005395170.tif 000008
【図８】
0005395170.tif 000009
【図９】
0005395170.tif 000010
【図１０】
0005395170.tif 000011
【図１１】
0005395170.tif 000012
【図１２】
0005395170.tif 000013
【図１３】
0005395170.tif 000014
【図１４】
0005395170.tif 000015
【図１５】
0005395170.tif 000016
【図１６】
0005395170.tif 000017
【図１７】
0005395170.tif 000018
【図１８】
0005395170.tif 000019
【図１９】
0005395170.tif 000020
【図２０】
0005395170.tif 000021
【図２１】
0005395170.tif 000022